(57)【要約】      （修正有）【課題】簡単で安価な自動希釈装置を提供する。【解決手段】クーラントタンク内に液面の２位置を検出する液面計１０が設置され、フロートが下限位置にある場合にはリードスイッチがＯＮして、Ｍ１コイルに通電し、リレー１８のＡ接点が接続して２個の電磁弁が通電保持され、希釈装置内で生成された混合液はクーラントタンクに注水し続ける、クーラントタンク内の混合液が満たされて、フロートが上限位置に至ると、別のリードスイッチがＯＮして、Ｍ２コイルに通電し、Ｂ接点のリレー１９が解除され、保持回路が解消されて２個の電磁弁が遮断され、クーラントタンクへの注水を停止し、混合液の注水中に原液が無くなり、原液タンクに設置された液面計６のフロートが下限位置にきた場合には、リードスイッチがＯＮしてＭ２コイルに通電し、Ｂ接点のリレーが解除され、保持回路が解消されて２個の電磁弁が遮断され、クーラントタンクへの注水を停止する。【選択図】図２
2019079229.tif 000002
【特許請求の範囲】
【請求項１】
混合液側タンクに２点動作式の液面計と原液タンク側に液面計を具備した濃度設定可能な希釈装置の制御回路において、１個のＡ接点リレーと１個のＢ接点リレーのみで、複数の電磁弁およびランプもしくは警告装置のＯＮ／ＯＦＦを行うだけでなく、全ての複数個の液面計のリードスイッチにはリレーのコイル側の小負荷のみしかかからないよう構成したことを特徴とする自動希釈装置の制御回路。
【請求項２】
請求項１の自動希釈装置の制御回路において、１個の２列Ａ接点リレーと１個のＢ接点リレーのみで、電磁弁およびランプもしくは警告装置のＯＮ／ＯＦＦを行うだけでなく、全ての複数個の液面計のリードスイッチにはリレーのコイル側の小負荷のみしかかからないよう構成したことを特徴とする自動希釈装置の制御回路。
【請求項３】
請求項１の自動希釈装置の制御回路において、１個のＡ接点リレーと１個の２列Ｂ接点リレーのみで、電磁弁およびランプもしくは警告装置のＯＮ／ＯＦＦを行うだけでなく、全ての複数個の液面計のリードスイッチにはリレーのコイル側の小負荷のみしかかからないよう構成したことを特徴とする自動希釈装置の制御回路。
【発明の詳細な説明】
【技術分野】
【０００１】
本発明は、主液のエジェクター効果により原液である油を吸い上げて水と混合するもので、混合液を加工機の付属タンクへ注水するもので、該混合液の供給・補充を自動的に行う希釈装置の制御回路構成に関するものである。
【背景技術】
【０００２】
ここで取上げる自動希釈装置は前記タンク側の混合液の液面を検出して、タンク内の混合水位が低下すると水供給側電磁弁を開き、希釈装置で原液と水を混合し、所定の濃度の混合液をタンクに供給する。そして、液面が上昇して、タンクが混合液で一定のレベルまで満たされると電磁弁を閉じるという主機能と原液側タンク内の原液が無くなった場合に自動的に停止し、不本意に水だけの供給が連続して行われ、クーラントタンクの濃度低下を防止するという安全機能を具備している。
液面計にはポリプロピレンやステンレス製のフロート式のものが安価であるため一般的に使用されている。該フロート式の液面計はフロートは中央部にマグネットを有し、該フロートの中央を貫通する中空軸の中にはリードスイッチが内臓された構成になっている。そして、液面の変化でフロートが上下すると付属したマグネットの磁気でリードスイッチが入り切りするように動作する。しかしながら、通常、該リードスイッチの接点は0.5アンペア以下の小電流にしか耐えないことが知られている。従って、直接、電磁弁に作用するような比較的大きな電流での直接的なON・OFFはできない。リードスイッチの接点が焼き付く。
また、クーラントタンクや原液タンクに設置された複数の液面計からのON・OFF信号を受けて複数の電磁弁、警報器、ランプなどを動作させる制御回路はプログラマブルシーケンサーや電子基盤を使用するためどうしても高価になり易い。
【０００３】
液面計のリードスイッチに0.5アンペア以上の過負荷電流が流れない構成とし、簡単で且つ安価な自動希釈装置の制御盤を提供する。
【先行技術文献】
【特許文献】
【０００４】
【特許文献１】実用新案登録３２１１８４９
【特許文献２】特願２０１７−１２１０７５
【発明の概要】
【発明が解決しようとする課題】
【０００５】
クーラントタンクや原液タンクに設置された複数の液面計からのON・OFF信号を受けて２個のリレーを使用するだけで複数の電磁弁、警報器、ランプを動作させる構造簡単で安価な制御回路とする。複数個の液面計のリードスイッチの電流負荷として電磁弁の負荷が直接かからないようにし、比較的小負荷の前記リレーのコイル負荷のみが作用する構成とする。
【課題を解決するための手段】
【０００６】
上記課題を達成するために、加工機に付属したクーラントタンク内に混合液の液面の２位置を検出する液面計１０が設置され、該液面計のフロートが下限位置にある場合にはリードスイッチがＯＮして、リレー１８のＭ１コイルに通電し、該リレー１８のＡ接点が接続して２個の電磁弁にＡＣ１００Ｖが通電保持され、希釈装置内で生成された混合液はクーラントタンクに注水し続ける。そして、該クーラントタンク内の混合液が満たされて液面が液面計１０のフロート１０bの上限位置に至ると別のリードスイッチ１０dがＯＮしてリレー１９のＭ２コイルに通電し、Ｂ接点のリレー１９が解除され、保持回路が解消されて２個の電磁弁のＡＣ１００Ｖが遮断され、クーラントタンクへの注水を停止する構成とする。
また、上記、混合液の注水中に原液が無くなり、原液タンクに設置された液面計６のフロートが下限位置にきた場合には、リードスイッチがＯＮしてリレー１９のＭ２コイルに通電し、Ｂ接点のリレー１９が解除され、保持回路が解消されて２個の電磁弁のＡＣ１００Ｖが遮断され、クラントタンクへの注水を停止する構成とする。
【発明の効果】
【０００７】
高価なシーケンサーや電子基盤を使用することがなく２個のリレーのみの安価な自動希釈装置の制御回路となる。
また、全ての液面計のリードスイッチに作用する電流値をコイルの負荷の約０．１５アンペア以下に抑えることが可能となり、一般的な液面計が使用できることと液面計の耐久性が向上するメリットがある。
更に、簡単な制御で原液が無くなった場合に水のみが供給されて混合液濃度が低下し、クーラント液の品質低下による加工不良等を防止できるというメリットを生じる。
【図面の簡単な説明】
【０００８】
【図１】図１は自動希釈装置の全体と液面計の構造を示した図である。
【図２】図２は本発明の制御装置の制御回路の実施例を示したものである。
【図３】図３は本発明の制御装置の制御回路の他の実施例を示したものである。
【図４】図４は本発明の制御装置の制御回路の他の実施例を示したものである。
【発明を実施するための形態】
【０００９】
切削や研削等の加工機に付属したクーラントタンクへの最適濃度のクーラント液の供給・補充の可能な自動希釈装置の簡単・安価な制御回路を提供する。
【実施例１】
【００１０】
図１は自動希釈装置の全体と液面計の構造を示した図である。希釈装置１は濃度設定器２、水側電磁弁３、および、原液側電磁弁４から構成されている。濃度設定器２は配管７によりクーラントタンクに接続されている。また、前記電磁弁３は水供給口８に接続され、前記電磁弁４は配管１２で原液容器に接続されている。前記クーラントタンクには２点動作式の液面計１０が設置されている。一方、該液面計１０は混合液１３が消費されて所定の位置まで下がった際に作動し、そして、混合液１３が供給されて所定の位置まで上がった際にも作動し、混合液の供給をストップする構成となっている。また、原液タンクには下限動作式の液面計６が設置されている。原液タンク内の原液１１がなくなると作動し、混合液の供給をストップするように構成されている。
尚、制御装置５は前記液面計からのＯＮ・ＯＦＦ信号を受けて適時、前記電磁弁３，４のＯＮ・ＯＦＦを行い、希釈装置１をコントロールする。
更に、液面計１０は軸部１０a、該軸部の外周に位置し、軸方向に移動可能な比較的軽いフロート１０b、該フロートの内側に固定された磁石１０c、該磁石の軸方向動きでＯＮ・ＯＦＦするリードスイッチ１０dおよび前記フロートの軸方向の動きを規制する複数のストッパー１０eから構成されている。
【００１１】
図２は本発明の制御装置５の回路図を示したものである。混合液１３が消費されて液面が所定の位置まで下がると液面計１０の下段のフロートスイッチがＯＮとなり、Ｍ １のコイルが励磁され、Ａ接点リレー１８が作動・保持されて、水側と原液側の電磁弁３，４が同時に作動せしめ、電磁弁灯１６が点灯する。そして、混合液が前記クラントタンクに供給され、所定の位置まで液面が上がると今度は、上段のフロートスイッチがＯＮとなり、Ｍ２のコイルが励磁され、Ｂ接点リレー１９が作動し、リレー１８が解除され、前記２個の電磁弁が閉じ、混合液の供給を停止する。この動作を繰り返し、混合液の自動補充が達っせられる構成となっている。
一方、原液容器内の原液１１は減少し続けるが、液面が原液容器の底に至ると液面検出器６のフロートスイッチがＯＮとなり、リレー１９が作動し、前記２個の電磁弁３，４が同時に閉じ、混合液の供給を強制的にストップし、オイル灯１７を点灯或いは警告音を鳴らす構成となっている。この警告で新しい原液容器の交換の必要性を促す。原液容器の交換時には漏電ブレーカ１４を切って電源灯１５が消灯したのを確認して行う。
スイッチ９は液面計１０の下段のリードスイッチを短絡させ、コイルＭ１を励磁され、リレー１８が作動・保持されて、水側と原液側の電磁弁３，４を同時に作動せしめ、電磁弁灯１６を点灯する。強制的に混合液が前記クラントタンクに供給することが可能となる。
【００１２】
図３は本発明の制御装置５の他の回路図の実施例を示したものである。図２の実施例との差異はリレー１８が２列となっており、クーラントタンクの混合液１３の液面が低く液面計下段のフロートスイッチがＯＮし続けた場合に原液が充分有り、液面計６が作動していないにも拘わらず、オイル灯・警告が点灯してしまうことを防止するため、２列目のＡ接点リレーを介してＭ２コイルへの回路を遮断したケースである。
【００１３】
図４は本発明の制御装置５の他の回路図の実施例を示したものである。図２の実施例との差異はリレー１９が２列となっており、クーラントタンクの混合液１３の液面が低く液面計下段のフロートスイッチがＯＮし続けた場合でも原液が無くなり、液面計６が作動した場合には２列目のＢ接点リレーを介してＭ１コイルへの回路を遮断し、電磁弁３，４を不作動とするケースである。
【産業上の利用可能性】
【００１４】
２個の液面計を具備した濃度設定可能な構造簡単・安価な自動希釈装置を提供する。このような希釈装置はクーラント液の供給・補充に用いることで良質のクーラント液の供給のみならず、作業効率を上げ、油の節減による省資源化に大きく寄与する。用途もクーラント液の生成だけでなく、水と混合する肥料や消毒液などの生成にも用いることが可能である。
【符号の説明】
【００１５】
１  希釈装置        
２  濃度設定器      
３  電磁弁     
４  電磁弁      
５  制御装置      
６  液面計       
１０  ２点式液面計  
１８  Ａ接点リレー  
１９  Ｂ接点リレー  
【図１】
2019079229.tif 000003
【図２】
2019079229.tif 000004
【図３】
2019079229.tif 000005
【図４】
2019079229.tif 000006